(57)【要約】【課題】電子カメラを通信回線を介して接続した場合に、通信相手から送られてきた画像を記録する。【解決手段】電子カメラ１がモジュラジャック１８により公衆回線に接続されている場合、撮影レンズ３が面Ｘ１と対向する方向に向けられた場合には、ＣＣＤより入力されたユーザの画像が、公衆回線を介して通信相手に伝送され、通信相手側のＬＣＤに表示される。また、通信相手側において入力された通信相手のユーザの画像は、公衆回線を介して伝送され、ＬＣＤに表示される。このとき、被写体を撮影するためのレリーズスイッチ１０が操作されると、ＬＣＤに表示されている画像が記録される。【選択図】図１
2006211659.tif 000002
【特許請求の範囲】
【請求項１】
通信回線を介して他の情報処理装置と接続され、情報を相互に通信する情報処理装置において、
被写体の画像を入力する画像入力手段と、
画像を表示装置に対して出力する出力手段と、
前記通信回線を介して前記他の情報処理装置に情報を送信する送信手段と、
前記通信回線を介して前記他の情報処理装置から送られてきた情報を受信する受信手段と、
前記他の情報処理装置との間に通信回線が閉結されていることを検出する検出手段とを備え、
前記検出手段が前記他の情報処理装置との間に通信回線が閉結されていることを検出した場合には、前記他の情報処理装置において入力され、前記通信回線を介して伝送されてきた画像を前記受信手段により受信して前記出力手段により前記表示装置に出力し、
前記検出手段が前記他の情報処理装置との間に通信回線が閉結されていることを検出できない場合には、前記情報処理装置において生成された画像を前記表示手段に表示する
ことを特徴とする情報処理装置。
【請求項２】
通信回線を介して他の情報処理装置と接続され、情報を相互に通信する情報処理方法において、
前記他の情報処理装置との間に通信回線が閉結されていることを検出し、
前記他の情報処理装置との間に通信回線が閉結されていることを検出した場合には、前記他の情報処理装置において入力され、前記通信回線を介して伝送されてきた画像を受信して表示装置に出力し、
前記他の情報処理装置との間に通信回線が閉結されていることが検出できない場合には、前記情報処理装置において生成された画像を前記表示装置に出力する  ことを特徴とする情報処理方法。
【請求項３】
通信回線を介して他の情報処理装置と接続され、情報を相互に通信する情報処理装置で使用される制御プログラムを記録する記録媒体において、
前記他の情報処理装置との間に通信回線が閉結されていることを検出し、
前記他の情報処理装置との間に通信回線が閉結されていることを検出した場合には、前記他の情報処理装置において入力され、前記通信回線を介して伝送されてきた画像を受信して表示装置に出力し、
前記他の情報処理装置との間に通信回線が閉結されていることが検出できない場合には、前記情報処理装置において生成された画像を前記表示装置に出力する制御プログラムを記録する記録媒体。
【請求項４】
通信回線を介して他の情報処理装置と接続され、情報を相互に通信する情報処理装置において、
被写体の画像を入力する画像入力手段と、
前記通信回線を介して前記他の情報処理装置から送られてきた画像を受信する受信手段と、
前記他の情報処理装置との間に通信回線が閉結されていることを検出する検出手段と、
画像を記録する場合に操作される操作手段と、
前記操作手段が操作された場合に、対象となる画像を記録する記録手段とを備え、
前記検出手段が、前記通信回線が閉結されていることを検出している場合に、前記操作手段が操作されたときには、前記記録手段は、前記他の情報処理装置が送信し、前記受信手段が受信した画像を記録し、
前記検出手段が、前記通信回線が閉結されていることを検出できない場合に、前記操作手段が操作されたときには、前記記録手段は、前記画像入力手段より入力された画像を記録する
ことを特徴とする情報処理装置。
【請求項５】
通信回線を介して他の情報処理装置と接続され、情報を相互に通信する情報処理方法において、
前記他の情報処理装置との間に通信回線が閉結されていることを検出し、
前記他の情報処理装置との間に通信回線が閉結されていることを検出した場合に、画像を記録する操作がなされたときには、前記他の情報処理装置より送られてきた画像を記録し、
前記通信回線が閉結されていることを検出できない場合に、画像を記録する操作がなされたときには、前記情報処理装置において入力された画像を記録する
ことを特徴とする情報処理方法。
【請求項６】
通信回線を介して他の情報処理装置と接続され、情報を相互に通信する情報処理装置で使用される制御プログラムを記録する記録媒体において、
前記他の情報処理装置との間に通信回線が閉結されていることを検出し、
前記他の情報処理装置との間に通信回線が閉結されていることを検出した場合に、画像を記録する操作がなされたときには、前記他の情報処理装置より送られてきた画像を記録し、
前記通信回線が閉結されていることを検出できない場合に、画像を記録する操作がなされたときには、前記情報処理装置において入力された画像を記録する制御プログラムを記録する記録媒体。
【発明の詳細な説明】
【技術分野】
【０００１】
本発明は、情報処理装置、情報処理方法、および、記録媒体に関し、特に、通信回線を介して相互に接続され、情報を通信することが可能な、情報処理装置、情報処理方法、および、記録媒体に関する。
【背景技術】
【０００２】
画像圧縮技術の進歩により、例えば、電話回線などの伝送容量が余り大きくない伝送媒体を用いて動画などの画像を送ることが可能となりつつある。
【０００３】
例えば、テレビ電話などでは、ＣＣＤなどにより撮像した画像を、ＭＰＥＧ（Moving Picture Experts Group）などの規格に準じて圧縮処理した後、電話回線を介して通信相手先に送信し、受信側では、伸長処理を施してもとの画像をＬＣＤなどに表示するようになされている。
【発明の開示】
【発明が解決しようとする課題】
【０００４】
ところで、電子カメラでは画像を圧縮してからメモリ等の記録媒体に記録されるようになされているので、記録媒体に記録する代わりに、公衆回線を介して、画像を通信相手に対して送信することにより、テレビ電話システムを実現することが可能となる。
【０００５】
しかしながら、電子カメラを用いてテレビ電話システムを実現する場合、情報の入力源が自分側と相手側の２通りになるので、例えば、レリーズボタンが操作された場合では、これら２通りの情報源の何れを記録対象とするのかを規定する必要がある。しかしながら、従来の電子カメラでは、通信により情報を授受する構成とはされていないため、例えば、通信相手側から送られてきた画像を撮影することができないという課題があった。
【０００６】
本発明は、以上のような状況に鑑みてなされたものであり、電子カメラを通信回線を介して接続し、画像などの情報を授受する場合において、例えば、相手側から送られてきた画像を簡単に記録できるようにするものである。
【課題を解決するための手段】
【０００７】
請求項１に記載の情報処理装置は、被写体の画像を入力する画像入力手段と、画像を表示装置に対して出力する出力手段と、通信回線を介して他の情報処理装置に情報を送信する送信手段と、通信回線を介して他の情報処理装置から送られてきた情報を受信する受信手段と、他の情報処理装置との間に通信回線が閉結されていることを検出する検出手段とを備え、検出手段が他の情報処理装置との間に通信回線が閉結されていることを検出した場合には、他の情報処理装置において入力され、通信回線を介して伝送されてきた画像を受信手段により受信して出力手段により表示装置に出力し、検出手段が他の情報処理装置との間に通信回線が閉結されていることを検出できない場合には、情報処理装置において生成された画像を表示手段に表示することを特徴とする。
【０００８】
請求項２に記載の情報処理方法は、他の情報処理装置との間に通信回線が閉結されていることを検出し、他の情報処理装置との間に通信回線が閉結されていることを検出した場合には、他の情報処理装置において入力され、通信回線を介して伝送されてきた画像を受信して表示装置に出力し、他の情報処理装置との間に通信回線が閉結されていることが検出できない場合には、情報処理装置において生成された画像を表示装置に出力することを特徴とする。
【０００９】
請求項３に記載の記録媒体は、他の情報処理装置との間に通信回線が閉結されていることを検出し、他の情報処理装置との間に通信回線が閉結されていることを検出した場合には、他の情報処理装置において入力され、通信回線を介して伝送されてきた画像を受信して表示装置に出力し、他の情報処理装置との間に通信回線が閉結されていることが検出できない場合には、情報処理装置において生成された画像を表示装置に出力する制御プログラムを記録する。
【００１０】
請求項４に記載の情報処理装置は、被写体の画像を入力する画像入力手段と、通信回線を介して他の情報処理装置から送られてきた画像を受信する受信手段と、他の情報処理装置との間に通信回線が閉結されていることを検出する検出手段と、画像を記録する場合に操作される操作手段と、操作手段が操作された場合に、対象となる画像を記録する記録手段とを備え、検出手段が、通信回線が閉結されていることを検出している場合に、操作手段が操作されたときには、記録手段は、他の情報処理装置が送信し、受信手段が受信した画像を記録し、検出手段が、通信回線が閉結されていることを検出できない場合に、操作手段が操作されたときには、記録手段は、画像入力手段より入力された画像を記録することを特徴とする。
【００１１】
請求項５に記載の情報処理方法は、他の情報処理装置との間に通信回線が閉結されていることを検出し、他の情報処理装置との間に通信回線が閉結されていることを検出した場合に、画像を記録する操作がなされたときには、他の情報処理装置より送られてきた画像を記録し、通信回線が閉結されていることを検出できない場合に、画像を記録する操作がなされたときには、情報処理装置において入力された画像を記録することを特徴とする。
【００１２】
請求項６に記載の記録媒体は、他の情報処理装置との間に通信回線が閉結されていることを検出し、他の情報処理装置との間に通信回線が閉結されていることを検出した場合に、画像を記録する操作がなされたときには、他の情報処理装置より送られてきた画像を記録し、通信回線が閉結されていることを検出できない場合に、画像を記録する操作がなされたときには、情報処理装置において入力された画像を記録する制御プログラムを記録する。
【発明の効果】
【００１３】
請求項１に記載の情報処理装置、請求項２に記載の情報処理方法、および、請求項３に記載の記録媒体によれば、他の情報処理装置との間に通信回線が閉結されていることを検出し、他の情報処理装置との間に通信回線が閉結されていることを検出した場合には、他の情報処理装置において入力され、通信回線を介して伝送されてきた画像を受信して表示装置に出力し、他の情報処理装置との間に通信回線が閉結されていることが検出できない場合には、情報処理装置において生成された画像を表示装置に出力する制御プログラムを記録するようにしたので、回線が閉結された場合には、自動的にテレビ電話モードに移行することが可能となる。
【００１４】
請求項４に記載の情報処理装置、請求項５に記載の情報処理方法、および、請求項６に記載の記録媒体によれば、他の情報処理装置との間に通信回線が閉結されていることを検出し、他の情報処理装置との間に通信回線が閉結されていることを検出した場合に、画像を記録する操作がなされたときには、他の情報処理装置より送られてきた画像を記録し、通信回線が閉結されていることを検出できない場合に、画像を記録する操作がなされたときには、情報処理装置において入力された画像を記録するようにしたので、回線の閉結状態に応じて、撮影される画像を自動的に選択することが可能となる。
【発明を実施するための最良の形態】
【００１５】
以下、本発明の実施例を図面を参照して説明する。
【００１６】
図１及び図２は、本発明を適用した電子カメラの一実施例の構成を示す斜視図である。本実施例の電子カメラにおいては、被写体を撮影する場合において、被写体に向けられる面が面Ｘ１とされ、ユーザ側に向けられる面が面Ｘ２とされている。面Ｘ１の上部には、ファインダ２、撮影レンズ３、発光部４、赤目軽減ランプ１５、測光素子１６、および、測色素子１７が設けられた回動部１９が配置されている。回動部１９は、回転可能とされており、撮影レンズ３が設けられた面を、面Ｘ１方向から面Ｘ２方向に回転させるとともに、任意の位置で固定することが可能とされている。なお、ファインダ２は被写体の撮影範囲の確認に用いられ、撮影レンズ３は被写体の光画像を取り込み、また、発光部（ストロボ）４は被写体を照明する光を発光するようになされている。
【００１７】
さらに、赤目軽減ランプ１５は、ストロボ４を発光させて撮影を行うときに、ストロボ４を発光させる前に発光させて赤目を軽減するようになされている。測光素子１６は、ＣＣＤ２０（図４：画像入力手段）の動作を停止させているときに測光を行うようになされている。更に、測色素子１７は、同じく、ＣＣＤ２０の動作を停止させているときに測色を行うようになされている。
【００１８】
一方、回動部１９の裏面（撮影レンズ３が設けられている面の反対側の面）には、上記ファインダ２の接眼部、及びこの電子カメラ１に記録されている音声を出力するスピーカ５が設けられている。また、面Ｘ２に形成されているＬＣＤ６及び操作キー７は、ファインダ２、撮影レンズ３、発光部４及びスピーカ５よりも、鉛直下側に形成されている。ＬＣＤ６の表面上には、後述するペン型指示装置の接触操作により、指示された位置に対応する位置データを出力する、いわゆるタッチタブレット６Ａが配置されている。
【００１９】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００２０】
操作キー７は、ＬＣＤ６に記録データを再生表示する場合などに操作されるキーであり、ユーザによる操作（入力）を検知し、ＣＰＵ３９（図６：検出手段）に供給するようになされている。
【００２１】
操作キー７のうちのメニューキー７Ａは、ＬＣＤ６上にメニュー画面を表示する場合に操作されるキーである。実行キー７Ｂ（操作手段）は、ユーザによって選択された記録情報を再生する場合に操作されるキーである。
【００２２】
クリアキー７Ｃは、記録した情報を削除する場合に操作されるキーである。キャンセルキー７Ｄは、記録情報の再生処理を中断する場合に操作されるキーである。スクロールキー７Ｅは、ＬＣＤ６に記録情報の一覧が表示されている場合において、画面を上下方向にスクロールさせるときに操作されるキーである。
【００２３】
面Ｘ２には、ＬＣＤ６を使用していないときにこれを保護する、しゅう動自在なＬＣＤカバー１４が設けられている。ＬＣＤカバー１４は、鉛直上方向に移動させた場合、図３に示すように、ＬＣＤ６及びタッチタブレット６Ａを覆うようになされている。また、ＬＣＤカバー１４を鉛直下方向に移動した場合、ＬＣＤ６及びタッチタブレット６Ａが現れるとともに、ＬＣＤカバー１４の腕部１４Ａによって、面Ｙ２に配置された電源スイッチ１１（後述）がオン状態に切り換えられるようになされている。
【００２４】
この電子カメラ１の上面には、音声を集音するマイクロホン８、及び図示せぬイヤホンが接続されるイヤホンジャック９が設けられている。
【００２５】
左側面（面Ｙ１）には、被写体を撮像するときに操作されるレリーズスイッチ１０（操作手段）、撮影時の連写モードを切り換えるときに操作される連写モード切り換えスイッチ１３、および、電話回線に接続する場合に使用されるモジュラジャック１８が設けられている。このレリーズスイッチ１０、連写モード切り換えスイッチ１３、および、モジュラジャック１８は、回動部１９に設けられているファインダ２、撮影レンズ３及び発光部４よりも鉛直下側に配置されている。
【００２６】
一方、面Ｙ１に対向する面Ｙ２（右側面）には、音声を録音するときに操作される録音スイッチ１２と、電源スイッチ１１が設けられている。この録音スイッチ１２及び電源スイッチ１１は、上記レリーズスイッチ１０及び連写モード切り換えスイッチ１３と同様に、回動部１９に設けられているファインダ２、撮影レンズ３及び発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００２７】
なお、録音スイッチ１２とレリーズスイッチ１０の高さをあえて異ならせることにより、一方のスイッチを押す場合に、この押圧力によるモーメントを打ち消すために反対側の側面を指で保持したとき、誤ってこの反対側の側面に設けられているスイッチが押されてしまわないようにしてもよい。
【００２８】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００２９】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００３０】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００３１】
次に、電子カメラ１の内部の構成について説明する。図４は、図１及び図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００３２】
ファインダ内表示素子２６は、ファインダ２の視野内に配置され、ファインダ２を介して被写体を視ているユーザに対して、各種機能の設定状態などを表示するようになされている。なお、ファインダ２、撮影レンズ３、発光部４、スピーカ５、ＣＣＤ２０、および、ファインダ内発光素子２６は、円筒形状の回動部１９内に配置されている。
【００３３】
ＬＣＤ６の鉛直下側には、円柱形状の４本のバッテリ（単３の乾電池）２１が縦に並べられており、このバッテリ２１に蓄積されている電力が各部に供給される。さらに、ＬＣＤ６の鉛直下側には、バッテリ２１とともに、発光部４に光を発光させるための電荷を蓄積しているコンデンサ２２が配置されている。
【００３４】
回路基板２３には、この電子カメラ１の各部を制御する、種々の制御回路が形成されている。また、回路基板２３と、ＬＣＤ６及びバッテリ２１の間には、挿抜可能なメモリカード２４（記録手段）が設けられており、この電子カメラ１に入力される各種の情報が、メモリカード２４の予め設定されている領域にそれぞれ記録される。
【００３５】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、図５（ａ）に示すように、ＬＣＤカバー１４の腕部１４Ａによって、電源スイッチ１１とともにオン状態に切り換えられるようになされている。
【００３６】
なお、ＬＣＤカバー１４が鉛直上方向に位置する場合、電源スイッチ１１は、ＬＣＤスイッチ２５とは独立に、ユーザによって操作される。例えば、ＬＣＤカバー１４が閉じられ、電子カメラ１が使用されていない場合、図５（ｂ）に示すように、電源スイッチ１１及びＬＣＤスイッチ２５がオフ状態になっている。この状態において、ユーザが電源スイッチ１１を図５（ｃ）に示すように、オン状態に切り換えると、電源スイッチ１１はオン状態となるが、ＬＣＤスイッチ２５は、オフ状態のままである。一方、図５（ｂ）に示すように、電源スイッチ１１及びＬＣＤスイッチ２５がオフ状態になっているとき、ＬＣＤカバー１４が開かれると、図５（ａ）に示すように、電源スイッチ１１及びＬＣＤスイッチ２５がオン状態となる。そして、この後、ＬＣＤカバー１４を閉じると、ＬＣＤスイッチ２５だけが、図５（ｃ）に示すように、オフ状態となる。
【００３７】
また、回動部１９は、図５に示すように、面Ｘ１の法線方向と面Ｘ２の法線方向の間の任意の角度に設定可能とされている。
【００３８】
なお、本実施例においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータに出力することができるようにしてもよい。
【００３９】
次に、本実施例の電子カメラ１の内部の電気的構成を、図６のブロック図を参照して説明する。複数の画素を備えているＣＣＤ２０は、各画素に結像した光画像を画像信号（電気信号）に光電変換するようになされている。ディジタルシグナルプロセッサ（以下、ＤＳＰという）３３（記録手段）は、ＣＣＤ２０にＣＣＤ水平駆動パルスを供給するとともに、ＣＣＤ駆動回路３４を制御し、ＣＣＤ２０にＣＣＤ垂直駆動パルスを供給させるようになされている。
【００４０】
画像処理部３１は、ＣＰＵ３９に制御され、ＣＣＤ２０が光電変換した画像信号を所定のタイミングでサンプリングし、そのサンプリングした信号を、所定のレベルに増幅するようになされている。アナログ／ディジタル変換回路（以下、Ａ／Ｄ変換回路という）３２は、画像処理部３１でサンプリングした画像信号をディジタル化してＤＳＰ３３に供給するようになされている。
【００４１】
ＤＳＰ３３は、バッファメモリ３６およびメモリカード２４に接続されるデータバスを制御し、Ａ／Ｄ変換回路３２より供給された画像データをバッファメモリ３６に一旦記憶させた後、バッファメモリ３６に記憶した画像データを読み出し、その画像データを、メモリカード２４に記録するようになされている。
【００４２】
また、ＤＳＰ３３は、Ａ／Ｄ変換回路３２より供給された画像データをフレームメモリ３５（出力手段）に記憶させ、ＬＣＤ６に表示させるとともに、メモリカード２４から撮影画像データを読み出し、その撮影画像データを伸張した後、伸張後の画像データをフレームメモリ３５に記憶させ、ＬＣＤ６に表示させるようになされている。
【００４３】
さらに、ＤＳＰ３３は、電子カメラ１の起動時において、ＣＣＤ２０の露光レベルが適正な値になるまで、露光時間（露出値）を調節しながら、ＣＣＤ２０を繰り返し動作させるようになされている。このとき、最初に、ＤＳＰ３３が測光回路５１を動作させ、測光素子１６により検出された受光レベルに対応して、ＣＣＤ２０の露光時間の初期値を算出するようにしてもよい。このようにすることにより、ＣＣＤ２０の露光時間の調節を短時間で行うことができる。
【００４４】
この他、ＤＳＰ３３は、メモリカード２４への記録、伸張後の画像データのバッファメモリ３６への記憶などにおけるデータ入出力のタイミング管理を行うようになされている。
【００４５】
バッファメモリ３６は、メモリカード２４に対するデータの入出力の速度と、ＣＰＵ３９やＤＳＰ３３などにおける処理速度の違いを緩和するために利用される。
【００４６】
マイクロホン８は、音声情報を入力し（音声を集音し）、その音声情報をＡ／ＤおよびＤ／Ａ変換回路４２に供給するようになされている。
【００４７】
Ａ／ＤおよびＤ／Ａ変換回路４２は、マイクロホン８により検出された音声に対応するアナログ信号をディジタル信号に変換した後、そのディジタル信号をＣＰＵ３９に出力するとともに、ＣＰＵ３９より供給された音声データをアナログ化し、アナログ化した音声信号をスピーカ５に出力するようになされている。
【００４８】
測光素子１６は、被写体およびその周囲の光量を測定し、その測定結果を測光回路５１に出力するようになされている。
【００４９】
測光回路５１は、測光素子１６より供給された測光結果であるアナログ信号に対して所定の処理を施した後、ディジタル信号に変換し、そのディジタル信号をＣＰＵ３９に出力するようになされている。
【００５０】
測色素子１７は、被写体およびその周囲の色温度を測定し、その測定結果を測色回路５２に出力するようになされている。
【００５１】
測色回路５２は、測色素子１７より供給された測色結果であるアナログ信号に対して所定の処理を施した後、ディジタル信号に変換し、そのディジタル信号をＣＰＵ３９に出力するようになされている。
【００５２】
タイマ４５は、時計回路を内蔵し、現在の時刻に対応するデータをＣＰＵ３９に出力するようになされている。
【００５３】
絞り駆動回路５３は、絞り５４の開口径を所定の値に設定するようになされている。
【００５４】
絞り５４は、撮影レンズ３とＣＣＤ２０の間に配置され、撮影レンズ３からＣＣＤ２０に入射する光の開口を変更するようになされている。
【００５５】
回動部位置検出回路５５は、回動部１９と連動するポテンショメータ５６からの出力を参照して、その時点において回動部１９が向けられている方向を検出するようになされている。
【００５６】
モデム部５７（送信手段、受信手段）は、公衆回線を介して接続された他の電子カメラ１との間で情報を送受信する際に、データのフォーマットの変換を行うようになされている。
【００５７】
ＣＰＵ３９は、ＬＣＤスイッチ２５からの信号に応じて、ＬＣＤカバー１４が開いているときにおいては、測光回路５１および測色回路５２の動作を停止させ、ＬＣＤカバー１４が閉じているときにおいては、測光回路５１および測色回路５２を動作させるとともに、レリーズスイッチ１０が半押し状態になるまで、ＣＣＤ２０の動作（例えば電子シャッタ動作）を停止させるようになされている。
【００５８】
ＣＰＵ３９は、ＣＣＤ２０の動作を停止させているとき、測光回路５１および測色回路５２を制御し、測光素子１６の測光結果を受け取るとともに、測色素子１７の測色結果を受け取るようになされている。
【００５９】
そして、ＣＰＵ３９は、所定のテーブルを参照して、測色回路５２より供給された色温度に対応するホワイトバランス調整値を算出し、そのホワイトバランス調整値を画像処理部３１に供給するようになされている。
【００６０】
即ち、ＬＣＤカバー１４が閉じているときにおいては、ＬＣＤ６が電子ビューファインダとして使用されないので、ＣＣＤ２０の動作を停止させるようにする。ＣＣＤ２０は多くの電力を消費するので、このようにＣＣＤ２０の動作を停止させることにより、バッテリ２１の電力を節約することができる。
【００６１】
また、ＣＰＵ３９は、ＬＣＤカバー１４が閉じているとき、レリーズスイッチ１０が操作されるまで（レリーズスイッチ１０が半押し状態になるまで）、画像処理部３１が各種処理を行わないように、画像処理部３１を制御するようになされている。
【００６２】
さらに、ＣＰＵ３９は、ＬＣＤカバー１４が閉じているとき、レリーズスイッチ１０が操作されるまで（レリーズスイッチ１０が半押し状態になるまで）、絞り駆動回路５３が絞り５４の開口径を変更する動作などを行わないように、絞り駆動回路５３を制御するようになされている。
【００６３】
ＣＰＵ３９は、ストロボ駆動回路３７を制御して、ストロボ４を適宜発光させるようになされている他、赤目軽減ランプ駆動回路３８を制御して、ストロボ４を発光させる前に、赤目軽減ランプ１５を適宜発光させるようになされている。
【００６４】
なお、ＣＰＵ３９は、ＬＣＤカバー１４が開いているとき（即ち、電子ビューファインダが利用されているとき）においては、ストロボ４を発光させないようにする。このようにすることにより、電子ビューファインダに表示されている画像の状態で、被写体を撮影することができる。
【００６５】
ＣＰＵ３９は、タイマ４５より供給される日時データに従って、撮影した日時の情報を画像データのヘッダ情報として、メモリカード２４の撮影画像記録領域に記録するようになされている。（すなわち、メモリカード２４の撮影画像記録領域に記録される撮影画像データには、撮影日時のデータが付随している）。
【００６６】
また、ＣＰＵ３９は、ディジタル化された音声情報を圧縮した後、ディジタル化及び圧縮化された音声データを一旦、バッファメモリ３６に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００６７】
ＣＰＵ３９は、レンズ駆動回路３０を制御し、撮影レンズ３を移動させることにより、オートフォーカス動作を行う他、絞り駆動回路５３を制御して、撮影レンズ３とＣＣＤ２０の間に配置されている絞り５４の開口径を変更させるようになされている。
【００６８】
さらに、ＣＰＵ３９は、ファインダ内表示回路４０を制御して、各種動作における設定などをファインダ内表示素子２６に表示させるようになされている。
【００６９】
ＣＰＵ３９は、インタフェース（Ｉ／Ｆ）４８を介して、所定の外部装置（図示せず）と所定のデータの授受を行うようになされている。
【００７０】
また、ＣＰＵ３９は、操作キー７からの信号を受け取り、適宜処理するようになされている。
【００７１】
ユーザの操作するペン（ペン型指示部材）４１によってタッチタブレット６Ａの所定の位置が押圧されると、ＣＰＵ３９は、タッチタブレット６Ａの押圧された位置のＸ−Ｙ座標を読み取り、その座標データ（後述する線画情報）を、バッファメモリ３６に蓄積するようになされている。また、ＣＰＵ３９は、バッファメモリ３６に蓄積した線画情報を、線画情報入力日時のヘッダ情報とともに、メモリカード２４の線画情報記録領域に記録するようになされている。
【００７２】
次に、本実施例の電子カメラ１の各種動作について説明する。最初に、本装置のＬＣＤ６における電子ビューファインダ動作について説明する。
【００７３】
ユーザがレリーズスイッチ１０を半押し状態にすると、ＤＳＰ３３は、ＣＰＵ３９より供給される、ＬＣＤスイッチ２５の状態に対応する信号の値から、ＬＣＤカバー１４が開いているか否かを判断し、ＬＣＤカバー１４が閉じていると判断した場合、電子ビューファインダ動作を行わない。この場合、ＤＳＰ３３は、レリーズスイッチ１０が操作されるまで処理を停止する。
【００７４】
なお、ＬＣＤカバー１４が閉じている場合、電子ビューファインダ動作を行わないので、ＣＰＵ３９は、ＣＣＤ２０、画像処理部３１、および、絞り駆動回路５３の動作を停止させる。そして、ＣＰＵ３９は、ＣＣＤ２０を停止させる代わりに、測光回路５１および測色回路５２を動作させ、それらの測定結果を、画像処理部３１に供給する。画像処理部３１は、それらの測定結果の値を、ホワイトバランス制御や輝度値の制御を行うときに利用する。
【００７５】
また、レリーズスイッチ１０が操作された場合、ＣＰＵ３９は、ＣＣＤ２０および絞り駆動回路５３の動作を行わせる。
【００７６】
一方、ＬＣＤカバー１４が開いている場合、ＣＣＤ２０は、所定の時間毎に、所定の露光時間で、電子シャッタ動作を行い、撮影レンズ３によって集光された被写体の光画像を光電変換し、その動作で得られた画像信号を画像処理部３１に出力する。
【００７７】
画像処理部３１は、ホワイトバランス制御および輝度値の制御を行い、その画像信号に対して所定の処理を施した後、画像信号をＡ／Ｄ変換回路３２に出力する。なお、ＣＣＤ２０が動作しているときは、画像処理部３１は、ＣＰＵ３９により、ＣＣＤ２０の出力を利用して算出された、ホワイトバランス制御および輝度値の制御に利用される調整値を利用する。
【００７８】
そして、Ａ／Ｄ変換回路３２は、その画像信号（アナログ信号）を、ディジタル信号である画像データに変換し、得られた画像データをＤＳＰ３３に出力する。
【００７９】
ＤＳＰ３３は、その画像データをフレームメモリ３５に出力し、ＬＣＤ６にその画像データに対応する画像を表示させる。
【００８０】
このように、電子カメラ１においては、ＬＣＤカバー１４が開いている場合、所定の時間間隔で、ＣＣＤ２０が電子シャッタ動作し、その度に、ＣＣＤ２０から出力された信号を画像データに変換し、その画像データをフレームメモリ３５に出力して、ＬＣＤ６に被写体の画像を絶えず表示させることで、電子ビューファインダ動作を行う。
【００８１】
また、上述のように、ＬＣＤカバー１４が閉じている場合においては、電子ビューファインダ動作を行わず、ＣＣＤ２０、画像処理部３１、および、絞り駆動回路５３の動作を停止させ、消費電力を節約している。
【００８２】
次に、本装置による被写体の撮影について説明する。
【００８３】
第１に、面Ｙ１に設けられている連写モード切り換えスイッチ１３が、Ｓモード（１コマだけ撮影を行うモード）に切り換えられている場合について説明する。最初に、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００８４】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８５】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでディジタル化されてＤＳＰ３３に出力される。
【００８６】
ＤＳＰ３３は、その画像データをバッファメモリ３６に一旦出力した後、バッファメモリ３６より、その画像データを読み出し、離散的コサイン変換、量子化及びハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００８７】
なお、連写モード切り換えスイッチ１３がＳモードに切り換えられている場合においては、１コマの撮影だけが行われ、レリーズスイッチ１０が継続して押されても、それ以降の撮影は行われない。また、レリーズスイッチ１０が継続して押されると、ＬＣＤカバー１４が開いている場合、ＬＣＤ６に、撮影した画像が表示される。
【００８８】
第２に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００８９】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９０】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によって１秒間に８回の割合でサンプリングされる。また、このとき、画像処理部３１は、ＣＣＤ２０の全画素の画像電気信号のうち４分の３の画素を間引く。
【００９１】
すなわち、画像処理部３１は、マトリクス状に配列されているＣＣＤ２０の画素を、図７に示すように、２×２画素（４つの画素）を１つとする領域に分割し、その１つの領域から、所定の位置に配置されている１画素の画像信号をサンプリングし、残りの３画素を間引く。
【００９２】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【００９３】
画像処理部３１によってサンプリングされた画像信号（ＣＣＤ２０の全画素中の４分の１の画素の画像信号）は、Ａ／Ｄ変換回路３２に供給され、そこでディジタル化されてＤＳＰ３３に出力される。
【００９４】
ＤＳＰ３３は、ディジタル化された画像信号をバッファメモリ３６に一旦出力した後、その画像信号を読み出し、ＪＰＥＧ方式に従って圧縮した後、ディジタル化及び圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【００９５】
第３に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００９６】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９７】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素の画像電気信号のうち９分の８の画素を間引く。
【００９８】
すなわち、画像処理部３１は、マトリクス状に配列されているＣＣＤ２０の画素を、図８に示すように、３×３画素を１つとする領域に分割し、その１つの領域から、所定の位置に配置されている１画素の画像電気信号を、１秒間に３０回の割合でサンプリングし、残りの８画素を間引く。
【００９９】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【０１００】
画像処理部３１によってサンプリングされた画像信号（ＣＣＤ２０の全画素中の９分の１の画素の画像信号）は、Ａ／Ｄ変換回路３２に供給され、そこでディジタル化されてＤＳＰ３３に出力される。
【０１０１】
ＤＳＰ３３は、ディジタル化された画像信号をバッファメモリ３６に一旦出力した後、その画像信号を読み出し、ＪＰＥＧ方式に従って圧縮した後、ディジタル化及び圧縮処理された撮影画像データに撮影日時のヘッダ情報を付加して、メモリカード２４の撮影画像記録領域に記録する。
【０１０２】
なお、必要に応じて、ストロボ４を動作させ、被写体に光を照射させることもできる。ただし、ＬＣＤカバー１４が開いているとき、即ち、ＬＣＤ６が電子ビューファインダ動作を行っているとき、ＣＰＵ３９は、ストロボ４を発光させないように制御する。
【０１０３】
次に、タッチタブレット６Ａから２次元の情報（ペン入力情報）を入力する場合の動作について説明する。
【０１０４】
タッチタブレット６Ａがペン４１のペン先で押圧されると、接触した箇所のＸ−Ｙ座標が、ＣＰＵ３９に入力される。このＸ−Ｙ座標は、バッファメモリ３６に記憶される。また、フレームメモリ３５における上記Ｘ−Ｙ座標の各点に対応した箇所にデータを書き込み、ＬＣＤ６における上記Ｘ−Ｙ座標に、ペン４１の接触に対応した線画を表示させることができる。
【０１０５】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等の線画情報を入力する。
【０１０６】
また、ＬＣＤ６上に撮影画像が表示されている場合において、ペン４１によって線画情報が入力されると、この線画情報が、撮影画像情報とともに、フレームメモリ３５で合成され、ＬＣＤ６上に同時に表示される。
【０１０７】
なお、ユーザは、図示せぬ色選択スイッチを操作することによって、ＬＣＤ６上に表示される線画の色を、黒、白、赤、青等の色から選択することができる。
【０１０８】
ペン４１によるタッチタブレット６Ａへの線画情報の入力後、操作キー７の実行キー７Ｂが押されると、バッファメモリ３６に蓄積されている線画情報が、入力日時のヘッダ情報とともにメモリカード２４に供給され、メモリカード２４の線画情報記録領域に記録される。
【０１０９】
なお、メモリカード２４に記録される線画情報は、圧縮処理の施された情報である。タッチタブレット６Ａに入力された線画情報は空間周波数成分の高い情報を多く含んでいるため、上記撮影画像の圧縮に用いられるＪＰＥＧ方式によって圧縮処理を行うと、圧縮効率が悪いことから圧縮及び伸張に必要とされる時間が長くなってしまう。さらに、ＪＰＥＧ方式による圧縮は、非可逆圧縮であるので、情報量の少ない線画情報の圧縮には適していない（伸張してＬＣＤ６上に表示した場合、情報の欠落に伴うギャザ、にじみが際だってしまうため）。
【０１１０】
そこで、本実施例においては、ファックス等において用いられるランレングス法によって、線画情報を圧縮するようにしている。ランレングス法とは、線画画面を水平方向に走査し、黒、白、赤、青等の各色の情報（点）の継続する長さ、及び無情報（ペン入力のない部分）の継続する長さを符号化することにより、線画情報を圧縮する方法である。
【０１１１】
このランレングス法を用いることにより、線画情報を最適に圧縮することができ、また、圧縮された線画情報を伸張した場合においても、情報の欠落を抑制することが可能になる。なお、線画情報は、その情報量が比較的少ない場合には、圧縮しないようにすることもできる。
【０１１２】
また、上述したように、ＬＣＤ６上に撮影画像が表示されている場合において、ペン入力を行うと、撮影画像データとペン入力の線画情報がフレームメモリ３５で合成され、撮影画像と線画の合成画像がＬＣＤ６上に表示される。その一方で、メモリカード２４においては、撮影画像データは、撮影画像記録領域に記録され、線画情報は、線画情報記録領域に記録される。このように、２つの情報が、各々異なる領域に記録されるので、ユーザは、撮影画像と線画の合成画像から、いずれか一方の画像（例えば線画）を削除することができ、さらに、各々の画像情報を個別の圧縮方法で圧縮することもできる。
【０１１３】
メモリカード２４の音声記録領域、撮影画像記録領域、または線画情報記録領域にデータを記録した場合、図９に示すように、ＬＣＤ６に所定の表示が行われる。
【０１１４】
図９に示すＬＣＤ６の表示画面上においては、情報を記録した時点の年月日（記録年月日）（この場合、１９９５年８月２５日）が画面の下端部に表示され、その記録年月日に記録された情報の記録時刻が画面の最も左側に表示されている。
【０１１５】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」と「１０時２１分」に記録（入力）された情報には、撮影画像情報が含まれており、「１０時０５分」、「１０時２８分」、「１０時５４分」、「１３時１０分」に記録された情報には、画像情報が含まれていない。
【０１１６】
また、メモ記号「＊」は、線画情報として所定のメモが記録されていることを表している。
【０１１７】
サムネイル画像の表示領域の右側には、音声情報バーが表示され、録音時間の長さに対応する長さのバー（線）が表示される（音声情報が入力されていない場合は、表示されない）。
【０１１８】
ユーザは、図９に示すＬＣＤ６の所望の情報の表示ラインのいずれかの部分を、ペン４１のペン先で押圧して再生する情報を選択指定し、図２に示す実行キー７Ｂをペン４１のペン先で押圧することにより、選択した情報を再生する。
【０１１９】
例えば、図９に示す「１０時０５分」の表示されているラインがペン４１によって押圧されると、ＣＰＵ３９は、選択された録音日時（１０時０５分）に対応する音声データをメモリカード２４から読み出し、その音声データを伸張した後、Ａ／ＤおよびＤ／Ａ変換回路４２に供給する。Ａ／ＤおよびＤ／Ａ変換回路４２は、供給された音声データをアナログ化した後、スピーカ５を介して再生する。
【０１２０】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【０１２１】
ＣＰＵ３９は、選択された撮影日時に対応する撮影画像データをメモリカード２４から読み出すように、ＤＳＰ３３に指示する。ＤＳＰ３３は、メモリカード２４より読み出された撮影画像データ（圧縮されている撮影画像データ）を伸張し、この撮影画像データをビットマップデータとしてフレームメモリ３５に蓄積させ、ＬＣＤ６に表示させる。
【０１２２】
Ｓモードで撮影された画像は、ＬＣＤ６上に、静止画像として表示される。この静止画像は、ＣＣＤ２０の全ての画素の画像信号を再生したものであることはいうまでもない。
【０１２３】
Ｌモードで撮影された画像は、ＬＣＤ６上において、１秒間に８コマの割合で連続して表示される。このとき、各コマに表示される画素数は、ＣＣＤ２０の全画素数の４分の１である。
【０１２４】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの速さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１２５】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１２６】
さらに、本実施例においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１２７】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１２８】
本実施例においては、Ｌモード及びＨモードで被写体を撮像する場合、画像処理部３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化及び低消費電力化が可能になる。
【０１２９】
ところで、本実施の形態では、図１０に示すように、公衆回線６１を介して２台の電子カメラ１−Ａおよび１−Ｂを接続し、相互に通信を行うことが可能とされている。なお、以下では、２台の電子カメラを公衆回線などの通信回線を介して相互に接続し、これらの間で通信を行う動作モードをテレビ電話モードと呼ぶことにする。
【０１３０】
図１０に示す例では、電子カメラ１−Ａは接続線６０を介して公衆回線６１と接続されており、また、電子カメラ１−Ｂは接続線６２を介して公衆回線６１と接続されている。このとき、それぞれの撮影レンズ３は、面Ｘ２の法線方向（ユーザの居る方向）に向けられており、ＣＣＤ２０により画像信号に変換されたユーザの光画像は、公衆回線６１を介して相互に伝送され、それぞれのＬＣＤ６に表示される。従って、電子カメラ１−Ａ，１−ＢそれぞれのＬＣＤ６には、通信相手のユーザの画像が表示されることになる。
【０１３１】
図１１は、電子カメラ１−Ａ，１−Ｂの間で、公衆回線６１を介して伝送される情報のフォーマットの一例を示している。この図に示すように、公衆回線６１を介して伝送される情報は、その直後に伝送される情報の種類を示す情報が格納されているヘッダ７０、通信相手の電子カメラ１を制御するための制御情報７１、画像情報７２、線画などにより構成されるメモ画像情報７３、および、音声情報７４により構成されている。なお、伝送される情報の種類によっては、制御情報７１、画像情報７２、メモ画像情報７３、または、音声情報７４は、含まれていない場合もある。
【０１３２】
図１２は、電子カメラ１−Ａまたは１−Ｂにおいて実行される処理の一例を説明するフローチャートである。このフローチャートに示すプログラムは、メモリカード２４に記憶されている。なお、本プログラムは、メモリカード２４に記憶された状態で使用者に供給されてもよいし、メモリカード２４にコピー可能なようにＣＤ−ＲＯＭ（Compact Disc-ROM）などに記憶された状態で使用者に供給されてもよい。
【０１３３】
この処理は、メニューキー７Ａが操作されて、メニュー画面（図示せず）が表示された場合に実行されるようになされている。なお、以下の説明では、電子カメラ１−Ａが発信側であり、また、電子カメラ１−Ｂが着信側であるとして説明を進める。
【０１３４】
図１２に示す処理が実行されると、ＣＰＵ３９は、ステップＳ１において、メニュー画面の選択項目のうち、テレビ電話モードが選択されたか否かを判定する。その結果、テレビ電話モード以外の項目が選択された（ＮＯ）と判定した場合は、処理を終了し（エンド）、また、テレビ電話モードが選択された（ＹＥＳ）と判定した場合には、ステップＳ２に進む。
【０１３５】
ステップＳ２では、ＣＰＵ３９は、ポテンショメータ５６（図６参照）の出力を参照し、回動部１９がユーザ側に向けられているか（撮影レンズ３が面Ｘ２の法線方向に向けられているか）否かを判定する。なお、この場合の判定の基準としては、図５（Ｃ）に示すように、撮影レンズ３の光軸が、面Ｘ２の法線方向に対して±３０゜の範囲に収まっている場合には、回動部１９がユーザ側に向けられている（ＹＥＳ）と判定し、それ以外の場合にはユーザ側に向けられていない（ＮＯ）と判定する。
【０１３６】
ステップＳ２において、回動部１９がユーザ側に向けられていない（ＮＯ）と判定した場合は、ステップＳ３に進み、回動部１９をユーザ側に向けるように促すメッセージ（例えば、「回動部を自分の方に向けて下さい。」）をＬＣＤ６に表示させ、ステップＳ２に戻り、回動部１９がユーザ側に向けられるまで同様の処理を繰り返す。また、ステップＳ２において、回動部１９がユーザ側に向けられている（ＹＥＳ）と判定した場合には、ステップＳ４に進む。
【０１３７】
ステップＳ４では、ＣＰＵ３９は、図１３に示すような数字キー８０乃至９１をＬＣＤ６に表示させ、通信相手の電話番号をユーザに入力させる。なお、この表示例では、数字キー８０乃至９１により入力された電話番号を表示するウィンドウ７９が画面の最上部に表示されており、入力された電話番号を確認することができるようになされている。電話番号が入力され、実行キー７Ｂが押されると、ステップＳ５に進む。
【０１３８】
ステップＳ５では、ＣＰＵ３９は、入力された電話番号に対応する、例えば、トーン信号を、モデム部５７を制御して公衆回線６１に対して出力させる。その結果、通信相手（着信側）との間で通信回線が閉結されることになる。
【０１３９】
続くステップＳ６では、ＣＰＵ３９は、通信相手との間でデータの送信を開始する。即ち、図１０に示す電子カメラ１−Ａにより撮影されたユーザＡの画像は、公衆回線６１を介して伝送され、電子カメラ１−ＢのＬＣＤ６に表示される。その結果、電子カメラ１−Ｂには、図１４に示すような画像（ユーザＡの画像）が表示される。
【０１４０】
続くステップＳ７では、ＣＰＵ３９は、通信相手から送られてきたデータをモデム部５７を制御して受信する。その結果、電子カメラ１−Ｂによって撮影されたユーザＢの画像は、公衆回線６１を介して伝送され、電子カメラ１−ＡのＬＣＤ６に表示される。図１５は、電子カメラ１−ＡのＬＣＤ６に表示される画像（ユーザＢの画像）の表示例を示している。
【０１４１】
なお、この際に相互に伝送される被写体の画像の解像度は、例えば、２８０×２２０画素程度であり、ＣＣＤ２０の解像度（例えば、６４０×４８０画素）よりも低めに設定されている。このような画像データは、例えば、ＭＰＥＧ方式に基づいて圧縮されて伝送される。
【０１４２】
ステップＳ８では、ＣＰＵ３９は、操作部材である、タッチタブレット６Ａ、操作キー７、レリーズスイッチ１０、または、録音スイッチ１２の何れかが操作されたか否かを判定する。その結果、これらの何れかが操作された（ＹＥＳ）と判定した場合は、ステップＳ９に進む。また、これらの何れも操作されていない（ＮＯ）と判定した場合には、ステップＳ９の処理をスキップして、ステップＳ１０の処理に進む。
【０１４３】
ステップＳ９では、処理１が実行される。なお、この処理１は、サブルーチン処理とされており、その詳細は、図１６を参照して後述する。
【０１４４】
ステップＳ１０では、ＣＰＵ３９は、モデム部５７により受信されたデータ（通信相手から伝送されてきたデータ）に制御情報７１が含まれている場合には、これを抽出する。
【０１４５】
続くステップＳ１１では、ＣＰＵ３９は、受信したデータから制御情報７１が取得できたか否かを判定する。その結果、受信したデータから制御情報７１が取得できた（ＹＥＳ）と判定した場合には、ステップＳ１２に進み、また、制御情報７１が取得できなかった（ＮＯ）と判定した場合には、ステップＳ１２の処理をスキップしてステップＳ１３に進む。なお、ステップＳ１２の処理２は、サブルーチンとなっており、その詳細については、図１８を参照して後述する。
【０１４６】
ステップＳ１３では、ＣＰＵ３９は、テレビ電話モードを終了する操作がなされたか否かを判定する。例えば、キャンセルキー７Ｄが押圧された場合には、ＣＰＵ３９は、テレビ電話モードを終了する操作がなされた（ＹＥＳ）と判定し、ステップＳ１４に進む。また、キャンセルキー７Ｄが押圧されていない（ＮＯ）と判定した場合には、ステップＳ８に戻り、前述の場合と同様の処理を繰り返す。
【０１４７】
ステップＳ１４では、ＣＰＵ３９は、通信回線を切断する処理を行い、ステップＳ１５に進む。ステップＳ１５では、ＣＰＵ３９は、ＣＣＤ２０から入力された画像をＬＣＤ６に表示させる電子ビューファインダ動作を開始し、処理を終了する（エンド）。
【０１４８】
以上の処理によれば、メニュー画面において、テレビ電話モードが選択された場合には、回動部１９がユーザ側に向けられているか否かを判定し、向けられている場合には、通信相手との間に通信回線を閉結し、データ通信を開始する。データ通信が開始されると、操作部材が操作されたか否かを判定するとともに、通信相手から制御情報が送られてきたか否かを判定する。その結果、操作部材が操作されたと判定した場合には対応する処理を行い、また、通信相手から制御情報が送られてきたと判定した場合についても、制御情報に対応する処理を行う。
【０１４９】
次に、図１６に示すフローチャートを参照して図１２に示す処理１の詳細について説明する。この処理が実行（コール）されると、ステップＳ３０において、ＣＰＵ３９は、回動部１９が所定の範囲内（撮影レンズ３の光軸が面Ｘ２の法線方向に対して±３０゜に収まる範囲内）から所定の範囲外へ回転されたか、所定の範囲外から所定の範囲内に回転されたか、または、その他の場合（例えば、回動部が回転されていない場合）の何れであるかを判定する。その結果、回動部１９が所定の範囲内から所定の範囲外へ回転された（１）と判定した場合は、ステップＳ３１に進む。また、回動部１９が所定の範囲外から所定の範囲内に移動された（２）と判定した場合は、ステップＳ３４に進む。更に、その他である（３）と判定した場合には、ステップＳ３７に進む。
【０１５０】
ステップＳ３０において、回動部１９が所定の範囲内から所定の範囲外へ回転された（１）と判定した場合は、ステップＳ３１に進み、ＣＰＵ３９は、ＣＣＤ２０から入力された画像をＬＣＤ６に表示させる動作を開始する。そして、ステップＳ３２に進み、ＣＰＵ３９は、発信（自分）側のＣＣＤ２０から入力された画像情報をモデム部５７を介して着信側に送信するとともに、送信したこの画像情報を表示するように受信側に指示する制御情報を送信する。そして、ステップＳ３３では、回動部１９の状態を示す変数ｄに値１を代入し、ステップＳ３７に進む。
【０１５１】
また、ステップＳ３０において、回動部１９が所定の範囲外から所定の範囲内へ回転された（２）と判定された場合は、ステップＳ３４に進み、ＣＰＵ３９は、着信側のＣＣＤ２０において入力され、公衆回線６１を介して伝送されてきた画像をモデム部５７により受信する。そして、ステップＳ３５に進み、受信した画像をＬＣＤ６に表示させる動作を開始した後、ステップＳ３６に進み、回動部１９の状態を示す変数ｄに値２を代入し、ステップＳ３７に進む。
【０１５２】
なお、処理１が最初に呼び出された場合には、変数ｄには初期値として値１が代入される（図１２のステップＳ２の処理の結果、回動部１９は必ずユーザ側に向けられているため）。
【０１５３】
更に、ステップＳ３０において、その他である（例えば、回動部１９が回転されていない）と判定された場合には、ステップＳ３７に進む。
【０１５４】
ステップＳ３７では、ＣＰＵ３９は、レリーズスイッチ１０が押されたか否かを判定する。その結果、レリーズスイッチ１０が押されていない（ＮＯ）と判定した場合は、ステップＳ４１に進む。また、レリーズスイッチ１０が押された（ＹＥＳ）と判定した場合には、ステップＳ３８に進む。
【０１５５】
ステップＳ３８では、ＣＰＵ３９は、変数ｄの値が１または２の何れであるかを判定する。その結果、変数ｄの値が１である（１）と判定した場合は、ステップＳ３９に進む。また、変数ｄの値が２である（２）と判定した場合には、ステップＳ４０に進む。
【０１５６】
ステップＳ３９では、ＣＣＤ２０から入力された画像が撮影（記録）される。即ち、ＣＣＤ２０から入力された被写体の光画像は、画像処理部３１によりサンプリングされ、Ａ／Ｄ変換回路３２によりディジタル信号に変換される。そして、ＤＳＰ３３によりＪＰＥＧ方式に基づく圧縮処理が施された後、メモリカード２４の撮影画像格納領域に格納される。なお、この際に記録される画像の解像度は、例えば、６４０×４８０画素であり、通常の撮影が行われた場合と同様の解像度である。
【０１５７】
一方、ステップＳ４０では、着信側のＣＣＤ２０から入力された画像が受信されて記録される。即ち、着信側のＣＣＤ２０より入力され、所定の画像処理が施された後、公衆回線６１を介して伝送されてきた画像はモデム部５７により受信され、メモリカード２４の撮影画像記録領域に記録される。なお、この際に記録される画像の解像度は、前述の場合と同様に６４０×４８０画素であり、通常の撮影が行われた場合と同様の解像度である。
【０１５８】
いま、例えば、回動部１９がユーザとは反対の方向（所定の範囲外）に向けられたとすると、ステップＳ３０において、ステップＳ３１に分岐し、発信（自分）側のＣＣＤ２０から入力された画像が同じく発信側のＬＣＤ６に表示されるとともに、ステップＳ３２においてＣＣＤ２０から入力された画像が着信側に対して送信される。その結果、着信側のＬＣＤ６にも発信側と同様の画像（発信側のＣＣＤ２０から入力された画像）が表示され、変数ｄに値１が代入されてステップＳ３７に進む。
【０１５９】
ステップＳ３７において、レリーズスイッチ１０が押された（ＹＥＳ）と判定された場合には、いまｄ＝１であることから、続くステップＳ３８においてステップＳ３９に分岐し、発信側のＣＣＤ２０から入力された画像がメモリカード２４の撮影画像記録領域に記録される。
【０１６０】
その後、回動部１９がユーザ側（所定の範囲内）に向けられると、ステップＳ３０において、ステップＳ３４に分岐し、着信側から伝送されてきた画像が受信されてＬＣＤ６に表示されるとともに、変数ｄに値２が格納される。
【０１６１】
そして、そのような状態において、レリーズスイッチ１０が操作されると、ステップＳ３７においてＹＥＳと判定され、ステップＳ３８に進み、ｄ＝２であることから、ステップＳ４０に分岐する。そして、ステップＳ４０では、着信側のＣＣＤ２０より入力されて伝送されてきた画像が、発信側のメモリカード２４の撮影画像記録領域に記録されることになる。
【０１６２】
従って、発信側または着信側の何れの画像に拘わらず、レリーズスイッチ１０が押された時点においてＬＣＤ６に表示されている画像が、メモリカード２４に記録されることになる。なお、前述したように、テレビ電話モードにおいて相互に伝送される画像の解像度は２８０×２２０画素程度に抑えてあるが、レリーズスイッチ１０が操作された場合には、６４０×４８０画素から構成される画像が伝送されて記録されることになる。
【０１６３】
なお、発信側または着信側の何れかにおいて撮影が行われた場合には、撮影された画像が発信側および着信側の双方のＬＣＤ６に表示され、この表示されている撮影画像に対して、後述するような方法により、メモ画像（線画）を書き込むことができる。
【０１６４】
即ち、ステップＳ４１では、ＣＰＵ３９は、タッチタブレット６Ａの出力を参照して、ペン入力がなされたか否かを判定する。その結果、ペン入力がなされていない（ＮＯ）と判定した場合は、図１２のステップＳ１０に復帰（リターン）する。また、ペン入力がなされた（ＹＥＳ）と判定した場合にはステップＳ４２に進む。
【０１６５】
ステップＳ４２では、ＣＰＵ３９は、ペン入力用の画面（例えば、背景色を青色とした画面）をＬＣＤ６に表示させる。そして、ステップＳ４３に進み、ＣＰＵ３９は、ペン入力画面を表示させる制御情報を着信側に送信する。その結果、着信側においても、同様のペン入力用の画面が表示されることになる。
【０１６６】
ステップＳ４４では、ＣＰＵ３９は、発信側においてペン４１により入力されたメモ情報をＬＣＤ６に表示させる。図１７は、ステップＳ４４（または、ステップＳ４６）の処理の結果、ペン４１により入力されたメモ画像（線画）が、ＬＣＤ６に表示されている様子を示す図である。この表示例では、演算増幅器を用いた回路が線画として入力されており、ペン４１がタッチタブレット６Ａ上を移動されると、それに応じた曲線がＬＣＤ６に表示される。そのとき、タッチタブレット６Ａより入力された情報は、座標情報としてバッファメモリ３６に格納され、この座標情報に応じてＣＰＵ３９がフレームメモリ３５に対して対応するビットマップデータを書き込んでいく。このようにしてバッファメモリ３６に格納された座標情報は、後述するように、キャンセルキー７Ｄが押されたときに消去されることになる。
【０１６７】
ステップＳ４４の処理が終了すると、ステップＳ４５に進み、ＣＰＵ３９は、入力されたメモ画像を、モデム部５７を介して着信側に送信する。
【０１６８】
ステップＳ４６では、ＣＰＵ３９は、着信側においてペン４１により入力されたメモ情報をモデム部５７に受信させ、受信された画像を、フレームメモリ３５に格納されているデータに重畳させて書き込むとともに、座標情報に変換してバッファメモリ３６に格納する。その結果、発信側で入力されたメモ画像と、着信側で入力されたメモ画像とが重畳されてＬＣＤ６に表示される。即ち、図１７に示すように、着信側のタッチタブレット６Ａにおいて、ペン４１による入力がなされた場合には、発信側のＬＣＤ６の対応する位置にカーソル１００が表示されるとともに、カーソル１００の軌跡が曲線として表示されることになる。なお、着信側においては、発信側におけるペン４１の位置がカーソル１００により表され、また、着信側のペン４１の軌跡に応じた曲線が描画される。
【０１６９】
ステップＳ４７では、ＣＰＵ３９は、発信側、または、着信側において、キャンセルキー７Ｄ、あるいは、図１７に示すチェンジ（CHANGE）キー９２が操作されたか否かを判定する。その結果、キャンセルキー７Ｄおよびチェンジキー９２の双方が操作されていない（ＮＯ）と判定した場合は、ステップＳ４４に戻り、前述の場合と同様の処理を繰り返す。また、キャンセルキー７Ｄまたはチェンジキー９２の何れかが操作された（ＹＥＳ）と判定した場合には、ステップＳ４８に進む。
【０１７０】
従って、発信側または着信側の何れかにおいて、キャンセルキー７Ｄまたはチェンジキー９２の何れかが操作された場合には、ステップＳ４８の処理に進むことになる。
【０１７１】
ステップＳ４８では、ＣＰＵ３９は、フレームメモリ３５に書き込まれているビットマップ情報をクリアすることによりＬＣＤ６に表示されている画像を消去するとともに、バッファメモリ３６に書き込まれている座標情報をクリアする。従って、発信側または着信側の何れかにおいて、キャンセルキー７Ｄまたはチェンジキー９２が操作された場合には、双方の電子カメラ１のメモ画像が消去されることになる。そして、ステップＳ５１に進む。
【０１７２】
なお、前述のように、ペン入力画面が表示されている場合に、キャンセルキー７Ｄまたはチェンジキー９２の何れかが操作された場合には、フレームメモリ３５とバッファメモリ３６の双方がクリアされるので、ペン４１により入力されたメモ情報が全て削除されることになる。しかしながら、例えば、メモ入力画面表示中に、メニューキー７Ａが操作されてメニュー画面が表示された場合、フレームメモリ３５のビットマップ情報は更新されるものの、バッファメモリ３６に格納されている座標情報はクリアされないので、メモ入力画面を表示させた場合には、前回入力されたメモ画像が再度表示されることになる。
【０１７３】
また、ペン入力画面において所定の線画を入力した後、画面表示を切り換えた場合（例えば、前述のようにメニュー画面を表示させた場合）には、バッファメモリ３６の内容がクリアされるモードと、クリアされないモードの２つを設け、これらを適宜選択できるようにしてもよい。
【０１７４】
一方、ステップＳ４７において、キャンセルキー７Ｄおよびチェンジキー９２の双方が操作されていない（ＮＯ）と判定された場合には、ステップＳ４９に進み、発信側または着信側のいずれかにおいて、実行キー７Ｂが操作されたか否かを判定する。その結果、実行キー７Ｂが操作されていない（ＮＯ）と判定した場合は、ステップＳ４４に戻り、前述の場合と同様の処理を繰り返す。また、実行キー７Ｂが操作された（ＹＥＳ）と判定した場合にはステップＳ５０に進む。
【０１７５】
ステップＳ５０では、バッファメモリ３５に格納されている座標情報（ＬＣＤ６に表示されているメモ画像に対応する座標情報）に対して所定のヘッダ情報を付加した後、メモリカード２４の線画情報記録領域に格納し、ステップＳ５１に進む。
【０１７６】
ステップＳ５１では、ペン入力がなされる前に表示されていた画像を、ＬＣＤ６に再度表示させ、図１２のステップＳ１０の処理に復帰（リターン）する。
【０１７７】
ところで、通信相手側のＬＣＤ６に何が表示されているのかを確認する目的で、画面の一部に小さいウィンドウを表示させ、通信相手のＬＣＤ６に表示されているものと同様の画像を表示するようにしてもよい。なお、このようなウィンドウは、双方のＬＣＤ６に表示されている画像が同じになった場合には、消去されるようにしてもよい。
【０１７８】
更に、相手側のＬＣＤ６に表示されている画像を縮小して画面上に表示しておき、この縮小された画像（以下、縮小画像という）をペン４１により押圧することにより、縮小画像を画面一杯に拡大して表示するとともに、その時点においてＬＣＤ６に表示されている画像を縮小画像として表示するようにしてもよい。なお、そのような場合、相手側と自分側のウィンドウを区別するために、例えば、相手側のウィンドウには、「相手側に表示されている画面」などのメッセージを表示するようにしてもよい。そのような構成にすることにより、例えば、通例であれば縮小されて表示されている相手側の画像を示すウィンドウが拡大されて表示されている場合に、これを自分側のウィンドウと間違えることを防止することができる。
【０１７９】
以上の処理によれば、回動部１９がユーザ側に向けられている場合、即ち、ＬＣＤ６にお互いの通信相手の画像が表示されている場合において、レリーズボタン１０が押された場合には、ＬＣＤ６に表示されている画像（通信相手の画像）に対応する高精細度の画像（６４０×４８０画素の画像）が伝送されてメモリカード２４に記録される。また、一方の回動部１９がユーザとは反対側に向けられている場合、例えば、発信側の回動部１９がユーザとは反対側に向けられており、発信側および着信側の双方のＬＣＤ６に発信側のＣＣＤ２０より入力された画像が表示されている場合に、レリーズボタン１０が操作されると、ＬＣＤ６に表示されている画像（発信側のＣＣＤ２０より入力された画像）に対応する高精細度の画像が、レリーズボタン１０が操作された方のメモリカード２４に記録されることになる。
【０１８０】
また、発信側または着信側のどちらか一方において、ペン入力がなされた場合には、双方のＬＣＤ６にペン入力用画面が表示される。そして、発信側と着信側のそれぞれにおいて入力されたメモ画像は、重畳されて表示されるので、ユーザは、あたかも１枚のメモ画像に対して記入しているように感じることができる。
【０１８１】
更に、このようにして作成されたメモ画像は、実行キー７Ｂを操作することにより、メモリカード２４の線画情報記録領域に記録することができる。なお、この際に格納されるメモ画像は、発信側と着信側の双方から入力された画像が重畳されて生成されたものである。
【０１８２】
次に、図１８を参照して、処理２の詳細について説明する。
【０１８３】
この処理が実行されると、ステップＳ６０において、ＣＰＵ３９は、ＣＣＤ２０から入力された画像を表示させる制御情報（着信側の電子カメラ１−ＢがステップＳ３２の処理において送信した情報）をモデム部５７が受信したか否かを判定する。その結果、前述の制御情報が受信されていない（ＮＯ）と判定した場合は、ステップＳ６２に進み、また、前述の制御情報が受信された（ＹＥＳ）と判定した場合は、ステップＳ６１に進む。
【０１８４】
ステップＳ６１では、ＣＰＵ３９は、着信側より送信され、モデム部５７により受信された画像を、ＬＣＤ６に表示させる。そして、ステップＳ６２に進む。
【０１８５】
ステップＳ６２では、ＣＰＵ３９は、ペン入力画面を表示させる制御情報（着信側の電子カメラ１−ＢがステップＳ４３の処理において送信した情報）が受信されたか否かを判定する。その結果、前述の制御情報が受信されていない（ＮＯ）と判定した場合には、図１２のステップＳ１３に復帰（リターン）し、また、前述の制御情報が受信された（ＹＥＳ）と判定した場合には、ステップＳ６３に進む。
【０１８６】
ステップＳ６３では、ペン入力用画面がＬＣＤ６に表示される。即ち、ＣＰＵ３９は、例えば、背景色が青色のペン入力用画面をＬＣＤ６に表示させる。そして、続くステップＳ６４では、ＣＰＵ３９は、着信側において入力されたメモ画像を受信し、ＬＣＤ６に表示させる。
【０１８７】
次のステップＳ６５では、ＣＰＵ３９は、タッチタブレット６Ａの出力を参照することにより、発信（自分）側において入力されたメモ画像を取得し、これをＬＣＤ６に表示させる。ステップＳ６６では、ステップＳ６５において取得したメモ画像をモデム部５７を介して着信側に送信する。
【０１８８】
ステップＳ６７では、ＣＰＵ３９は、発信側または着信側の何れかにおいてキャンセルキー７Ｄまたはチェンジキー９２の何れかが操作されたか否かを判定する。その結果、キャンセルキー７Ｄまたはチェンジキー９２の何れかが操作された（ＹＥＳ）と判定した場合には、ステップＳ６８に進み、フレームメモリ３５およびバッファメモリ３６に格納されているデータをクリアしてＬＣＤ６に表示されている画像を消去するとともに、着信側に対して制御信号を送り、着信側のフレームメモリ３５およびバッファメモリ３６の内容もクリアさせる。そして、ステップＳ７１に進む。また、キャンセルキー７Ｄおよびチェンジキー９２の双方が操作されていない（ＮＯ）と判定した場合には、ステップＳ６９に進む。
【０１８９】
ステップＳ６９では、ＣＰＵ３９は、実行キー７Ｂが操作されたか否かを判定する。その結果、実行キー７Ｂが操作されていない（ＮＯ）と判定した場合は、ステップＳ６５に戻り、前述の場合と同様の処理を繰り返す。また、実行キー７Ｂが操作された（ＹＥＳ）と判定した場合には、ステップＳ７０に進む。
【０１９０】
ステップＳ７０では、ＣＰＵ３９は、バッファメモリ３６に格納されている座標情報（発信側と着信側の双方より入力されたメモ画像が重畳された画像に対応する座標情報）にヘッダを付加した後、メモリカード２４の線画情報記録領域に記録する。そして、ステップＳ７１に進み、ＣＰＵ３９は、相手側（この例では着信側）のＣＣＤ２０より入力されて伝送されてきた画像をＬＣＤ６に表示させる動作を開始し、処理を終了する（エンド）。
【０１９１】
以上の処理によれば、着信側より伝送されてきた制御信号に応じて、テレビ電話モードやペン入力モードに移行することが可能となる。
【０１９２】
次に、図１９を参照して、着信側である電子カメラ１−Ｂにおいて実行される処理の一例を説明する。このフローチャートに示すプログラムは、前述の場合と同様に、メモリカード２４に記憶されている。なお、本プログラムは、メモリカード２４に記憶された状態で使用者に供給されてもよいし、メモリカード２４にコピー可能なようにＣＤ−ＲＯＭ（Compact Disc-ROM）などに記憶された状態で使用者に供給されてもよい。
【０１９３】
この処理が実行されると、ＣＰＵ３９は、メニューキー７Ａが操作されることにより表示されるメニュー画面において、テレビ電話モードが選択されたか否かを判定する。その結果、テレビ電話モードが選択されていない（ＮＯ）と判定した場合は処理を終了する（エンド）。また、テレビ電話モードが選択された（ＹＥＳ）と判定した場合には、ステップＳ９１に進む。
【０１９４】
ステップＳ９１では、ＣＰＵ３９は、回動部１９がユーザ側に向けられているか否かを判定する。その結果、回動部１９がユーザ側に向けられていない（ＮＯ）と判定した場合にはステップＳ９２に進み、例えば、「回動部を自分の方に向けて下さい。」というメッセージをＬＣＤ６に表示させ、ステップＳ９１に戻り、回動部１９がユーザ側に向けられるまで同様の処理を繰り返す。また、回動部１９がユーザ側に向けられている（ＹＥＳ）と判定した場合には、ステップＳ９３に進む。
【０１９５】
ステップＳ９３では、通信相手との間に通信回線が閉結されているか否かが判定される。即ち、ＣＰＵ９３は、発信側から呼び出しが行われて、通信回線が閉結されたか否かを判定する。その結果、回線が閉結されていない（ＮＯ）と判定した場合は、ステップＳ９３に戻り、通信回線が閉結されるまで同様の処理を繰り返す。また、通信回線が閉結された（ＹＥＳ）と判定した場合には、ステップＳ９４に進む。
【０１９６】
ステップＳ９４では、ＣＰＵ３９は、モデム部５７を制御し、データの受信処理を開始させる。その結果、発信側のＣＣＤ２０より入力された画像が着信側のモデム部５７により受信され、ＬＣＤ６に表示される動作が開始される。続くステップＳ９５では、着信側のモデム部５７によりデータの送信処理が開始される。その結果、着信側のＣＣＤ２０から入力された画像が、モデム部５７により送信され、発信側のＬＣＤ６に表示されることになる。
【０１９７】
ステップＳ９６では、ＣＰＵ３９は、操作部材（タッチタブレット６Ａ、操作キー７、レリーズスイッチ１０、または、録音スイッチ１２）が操作されたか否かを判定する。その結果、操作部材が操作されていない（ＮＯ）と判定した場合はステップＳ９８に進む。また、操作部材が操作された（ＹＥＳ）と判定した場合にはステップＳ９７に進む。
【０１９８】
ステップＳ９７では、処理１が実行される。この処理は、図１６に示す処理と同様であるので、その説明は省略する。
【０１９９】
続くステップＳ９８では、ＣＰＵ３９は、受信データに制御情報が含まれている場合には、これを抽出する。そして、ステップＳ９９に進み、ＣＰＵ３９は、制御情報を取得したか否かを判定する。その結果、制御情報を取得していない（ＮＯ）と判定した場合は、ステップＳ１０１に進む。また、制御情報を取得した（ＹＥＳ）と判定した場合には、ステップＳ１００に進む。
【０２００】
ステップＳ１００では、処理２が実行される。なお、この処理２は、図１８に示す処理と同様であるので、その説明は省略する。ステップＳ１００の処理が終了すると、ステップＳ１０１に進む。
【０２０１】
ステップＳ１０１では、ＣＰＵ３９は、テレビ電話モードを終了する所定の操作が行われたか否かを判定する。例えば、キャンセルキー７Ｄが押圧されていない（ＮＯ）と判定した場合には、ステップＳ９６に戻り、前述の場合と同様の処理を繰り返す。また、キャンセルキー７Ｄが押圧された場合には、ＣＰＵ３９は、テレビ電話モードを終了する操作がなされた（ＹＥＳ）と判定し、ステップＳ１０２に進む。
【０２０２】
ステップＳ１０２では、回線切断処理が実行され、発信側との間の通信回線が切断されることになる。そして、ステップＳ１０３では、ＬＣＤ６に表示する画像として、ＣＣＤ２０から入力された画像を選択する（電子ビューファインダ動作を開始する）。そして、処理を終了する（エンド）。
【０２０３】
以上の処理によれば、発信側との間に通信回線を閉結し、発信側との間で通信が可能となる。
【０２０４】
なお、本発明は、上記実施例の電子カメラに限定されるものではなく、例えば、携帯電話等にも適用可能であることは言うまでもない。
【０２０５】
また、以上の実施の形態においては、ＣＣＤ２０より入力された画像をＪＰＥＧ規格に基づいて圧縮し、通信回線６１を介して伝送するようにしたが、例えば、ＭＰＥＧ規格に基づいて圧縮して伝送し、受信側において対応する伸長処理を施すようにしてもよいことは勿論である。
【図面の簡単な説明】
【０２０６】
【図１】本発明を適用した電子カメラの一実施例の正面から見た場合の構成を示す斜視図である。
【図２】図１に示す電子カメラ１の背面から見た場合の構成を示す斜視図である。
【図３】ＬＣＤカバー１４を閉じた状態の電子カメラ１を示す斜視図である。
【図４】図１及び図２に示す電子カメラ１の内部の構成を示す斜視図である。
【図５】ＬＣＤカバー１４の位置と、電源スイッチ１１及びＬＣＤスイッチ２５の状態との関係を説明する図である。
【図６】図１及び図２に示す電子カメラの内部の電気的構成を示すブロック図である。
【図７】Ｌモード時における画素の間引き処理を説明する図である。
【図８】Ｈモード時における画素の間引き処理を説明する図である。
【図９】図１及び図２に示す電子カメラの表示画面の例を示す図である。
【図１０】図１に示す電子カメラを公衆回線を介して接続した場合の接続関係を示す図である。
【図１１】図１０に示す電子カメラが公衆回線を介して相互に伝送する情報のフォーマットの一例を示す図である。
【図１２】図１０に示す電子カメラ１−Ａにおいて実行される処理の一例を説明するフローチャートである。
【図１３】図１２に示すステップＳ４においてＬＣＤ６に表示される画面の表示例である。
【図１４】図１２に示す処理により、電子カメラ１−Ｂに表示される画像の表示例を示す図である。
【図１５】図１２に示す処理により、電子カメラ１−Ａに表示される画像の表示例を示す図である。
【図１６】図１２のステップＳ９に示す処理１の詳細を説明するフローチャートである。
【図１７】ペン入力がなされた場合に表示される画像の表示例を示す図である。
【図１８】図１２のステップＳ１２に示す処理の詳細を説明するフローチャートである。
【図１９】図１０に示す電子カメラ１−Ｂにおいて実行される処理の一例を説明するフローチャートである。
【符号の説明】
【０２０７】
１  電子カメラ
２  ファインダ
３  撮影レンズ
４  発光部
５  スピーカ
６  ＬＣＤ
６Ａ  タッチタブレット
７  操作キー
７Ａ  メニューキー
７Ｂ  実行キー（操作手段）
７Ｃ  クリアキー
７Ｄ  キャンセルキー
７Ｅ  スクロールキー
８  マイクロホン
９  イヤホンジャック
１０  レリーズスイッチ（操作手段）
１１  電源スイッチ
１２  録音スイッチ
１３  連写モード切り換えスイッチ
１５  赤目軽減ランプ
１６  測光素子
１７  測色素子
２０  ＣＣＤ（画像入力手段）
２１  バッテリ
２２  コンデンサ
２３  回路基板
２４  メモリカード（記録手段）
２５  ＬＣＤスイッチ
２６  ファインダ内表示素子
３０  レンズ駆動回路
３１  画像処理部
３２  アナログ／ディジタル変換回路
３３  ディジタルシグナルプロセッサ（ＤＳＰ：記録手段）
３４  ＣＣＤ駆動回路
３５  フレームメモリ（出力手段）
３６  バッファメモリ
３７  ストロボ駆動回路
３８  赤目軽減ランプ駆動回路
３９  ＣＰＵ（検出手段）
４０  ファインダ内表示回路
４２  Ａ／ＤおよびＤ／Ａ変換回路
４５  タイマ
４８  インタフェース
５１  測光回路
５２  測色回路
５３  絞り駆動回路
５４  絞り
５７  モデム部（送信手段、受信手段）
【図１】
2006211659.tif 000003
【図２】
2006211659.tif 000004
【図３】
2006211659.tif 000005
【図４】
2006211659.tif 000006
【図５】
2006211659.tif 000007
【図６】
2006211659.tif 000008
【図７】
2006211659.tif 000009
【図８】
2006211659.tif 000010
【図９】
2006211659.tif 000011
【図１０】
2006211659.tif 000012
【図１１】
2006211659.tif 000013
【図１２】
2006211659.tif 000014
【図１３】
2006211659.tif 000015
【図１４】
2006211659.tif 000016
【図１５】
2006211659.tif 000017
【図１６】
2006211659.tif 000018
【図１７】
2006211659.tif 000019
【図１８】
2006211659.tif 000020
【図１９】
2006211659.tif 000021